Podtech/llm-jp-corpus-v4-ja_patent huggingface dataset:
【手続補正書】
【提出日】平成21年1月14日(2009.1.14)
【手続補正１】
【補正対象書類名】特許請求の範囲
【補正対象項目名】全文
【補正方法】変更
【補正の内容】
【特許請求の範囲】
【請求項１】
被加工物をモールドにより加工するための加工装置であって、
前記モールドを支持し、加圧するための第１の支持部と、
前記第１の支持部と対向して配置された前記被加工物を前記第１の支持部との間に支持し、加圧するための第２の支持部と、
前記第１と第２の支持部とを近接させ、前記モールドの加工面と前記被加工物の被加工面とを接触させ、前記被加工物を加工するために、前記モールドと前記被加工物とを前記近接方向に押圧するための押圧手段とを備え、
前記第１の支持部の前記モールドとの接触面の外縁は、前記モールドの前記第１の支持部側の面内に配置され、前記第２の支持部の前記被加工物との接触面の外縁は、前記被加工物の前記第２の支持部側の面内に配置されることを特徴とする加工装置。
【請求項２】
前記第１の支持部の前記モールドとの接触面の外縁、及び、前記第２の支持部の前記被加工物との接触面の外縁のいずれもが、前記モールドの前記第１の支持部側の面と前記被加工物の前記第２の支持部側の面のいずれの面よりも内側に配置されることを特徴とする請求項１に記載の加圧装置。
【請求項３】
前記第１の支持部の前記モールドとの接触面と前記第２の支持部の前記被加工物との接触面とが、同軸上に対向して配置されたときに前記第１の支持部の前記モールドとの接触面と前記第２の支持部の前記被加工物との接触面とが、面対称の関係にある請求項１又は２に記載の加工装置。
【請求項４】
前記第１の支持部の前記モールドとの接触面と、前記第２の支持部の前記被加工物との接触面とが、同じ面積である請求項１乃至３のいずれかに記載の加圧装置。
【請求項５】
少なくとも前記第１の支持部又は前記第２の支持部の少なくとも一方が、柱状の形である請求項１乃至４のいずれかに記載の加工装置。
【請求項６】
前記柱状の第１又は第２の支持部の外側に保持部を備える請求項５に記載の加工装置。
【請求項７】
被加工物をモールドにより加工するための加工方法であって、
前記モールドを支持し、加圧する第１の支持部に前記モールドを設置し、前記被加工物を支持し、加圧する第２の支持部に前記被加工物を設置する工程と
前記第１と第２の支持部とを近接させ、前記モールドの加工面と前記被加工物の被加工面とを接触させ、前記モールドと前記被加工物とを前記近接方向に押圧し、前記被加工物を加工する工程を備え
前記第１の支持部の前記モールドとの接触面の外縁は、前記モールドの前記第１の支持部側の面内に配置され、前記第２の支持部の前記被加工物との接触面の外縁は、前記被加工物の前記第２の支持部側の面内に配置されることを特徴とする加工方法。
【請求項８】
前記第１の支持部の前記モールドとの接触面の外縁、及び、前記第２の支持部の前記被加工物との接触面の外縁のいずれもが、前記モールドの前記第１の支持部側の面と前記被加工物の前記第２の支持部側の面のいずれの面よりも内側に配置されることを特徴とする請求項７に記載の加圧方法。
【請求項９】
前記第１の支持部の前記モールドとの接触面と前記第２の支持部の前記被加工物との接触面とが、同軸上に対向して配置されたときに前記第１の支持部の前記モールドとの接触面と前記第２の支持部の前記被加工物との接触面とが、面対称の関係にある請求項７又は８に記載の加工方法。
【請求項１０】
前記第１の支持部の前記モールドとの接触面と、前記第２の支持部の前記被加工物との接触面とが、同じ面積である請求項７乃至９のいずれかに記載の加圧方法。
【手続補正２】
【補正対象書類名】明細書
【補正対象項目名】０００３
【補正方法】変更
【補正の内容】
【０００３】
特開２０００−２３２０９５では、半導体ウエハ上のレジストに対し、モールドを押し付けて圧痕パターンを形成し、イオンミリングにて半導体ウエハにパターンを形成する方法を提案している。
【手続補正３】
【補正対象書類名】明細書
【補正対象項目名】０００４
【補正方法】変更
【補正の内容】
【０００４】
また、Ｊｐｎ．Ｊ．Ａｐｐｌ．Ｐｈｙｓ  Ｖｏｌ．４１（２００２）ｐｐ．４１７３−４１７７  Ｐａｒｔ  １，Ｎｏ．６Ｂ，Ｊｕｎｅ  ２００２では、サファイアのブロックでブロックよりも小さいモールドを加圧し、ＵＶ光を照射してＵＶ硬化樹脂を硬化させ、パターンを形成する方法を提案している。
【特許文献１】特開２０００−２３２０９５
【非特許文献１】Ｊｐｎ．Ｊ．Ａｐｐｌ．Ｐｈｙｓ  Ｖｏｌ．４１（２００２）ｐｐ．４１７３−４１７７  Ｐａｒｔ  １，Ｎｏ．６Ｂ，Ｊｕｎｅ  ２００２
【手続補正４】
【補正対象書類名】明細書
【補正対象項目名】００１０
【補正方法】変更
【補正の内容】
【００１０】
本発明は、
被加工物をモールドにより加工するための加工装置であって、
前記モールドを支持し、加圧するための第１の支持部と、
前記第１の支持部と対向して配置された前記被加工物を前記第１の支持部との間に支持し、加圧するための第２の支持部と、
前記第１と第２の支持部とを近接させ、前記モールドの加工面と前記被加工物の被加工面とを接触させ、前記被加工物を加工するために、前記モールドと前記被加工物とを前記近接方向に押圧するための押圧手段とを備え、
前記第１の支持部の前記モールドとの接触面の外縁は、前記モールドの前記第１の支持部側の面内に配置され、前記第２の支持部の前記被加工物との接触面の外縁は、前記被加工物の前記第２の支持部側の面内に配置されることを特徴とする加工装置を提供するものである。
【手続補正書】
【提出日】平成21年10月21日(2009.10.21)
【手続補正１】
【補正対象書類名】特許請求の範囲
【補正対象項目名】全文
【補正方法】変更
【補正の内容】
【特許請求の範囲】
【請求項１】
下面に吸塵開口部を有し、上側から前側にかけてのいずれかの箇所にタービン駆動用吸気口を有する筐体を備え、
前記筐体は、前記吸塵開口部に連通するブラシ室と、
前記ブラシ室と連通する吸塵通路と、
前記吸塵通路に隣接するように配置され、上流側が前記タービン駆動用吸気口に連通するタービン室とを内部に有し、
前記吸塵通路と前記タービン室との間は隔壁によって仕切られており、
前記タービン室の下流側と前記吸塵通路の下流側とは合流しており、
前記ブラシ室の内部には前記吸塵開口部に臨むように回転ブラシが配置されており、
前記タービン室の内部には前記タービン駆動用吸気口からの空気の流れによって回転するようにターボファンが配置されており、
前記回転ブラシと前記ターボファンとの間には、前記ターボファンの回転を前記回転ブラシに伝達するための回転伝達部材が介在している、電気掃除機用吸口体。
【請求項２】
前記隔壁は、前記ターボファンの下流側の端よりもさらに下流に向かって延在している、請求項１に記載の電気掃除機用吸口体。
【請求項３】
請求項１または２に記載の電気掃除機用吸口体を備える、電気掃除機。
【手続補正書】
【提出日】平成21年10月21日(2009.10.21)
【手続補正１】
【補正対象書類名】特許請求の範囲
【補正対象項目名】全文
【補正方法】変更
【補正の内容】
【特許請求の範囲】
【請求項１】
被掃除面に向い合って開口する集塵開口部と、前記集塵開口部よりも前方に配置される前壁とを含む本体ケースと、
前記本体ケースに設けられ、前記前壁から前記本体ケースの前方に突出するバンパーとを備え、
前記バンパーには、被掃除面側から前記バンパーに対して被掃除面の反対側に貫通する吸気孔が形成される、掃除機用の吸入口体。
【請求項２】
前記バンパーは、前記吸気孔が形成される基部と、前記基部から被掃除面に向かって延びる延伸部とを含み、
前記延伸部と前記前壁との間には、前記吸気孔が連通し、被掃除面に向かって延びる通路が形成される、請求項１に記載の掃除機用の吸入口体。
【請求項３】
前記集塵開口部は、帯状に延在する開口面を有し、
複数の前記吸気孔が、前記開口面の延在方向に並び、互いに間隔を隔てて形成される、請求項１または２に記載の掃除機用の吸入口体。
【請求項４】
前記前壁は、被掃除面に向い合い、前記集塵開口部に連なる底部分を含み、
前記底部分には、被掃除面からの距離が相対的に小さくなる突出部と、被掃除面からの距離が相対的に大きくなる溝部とが形成され、
前記溝部は、前記吸気孔から前記集塵開口部に向かう吸気流れの最短経路上に配置される、請求項１から３のいずれか１項に記載の掃除機用の吸入口体。
【手続補正書】
【提出日】平成21年2月10日(2009.2.10)
【手続補正１】
【補正対象書類名】特許請求の範囲
【補正対象項目名】請求項３
【補正方法】変更
【補正の内容】
【請求項３】
立上レール（２）と立上体（３）を碇状に一体成形し、該裏面に床面に軟粘着する貼着部（４）を設けてなる、亦は是を主体マット（１）面に設置してなる、請求項（１）記載の上履き脱ぎ揃え装置。
【手続補正書】
【提出日】平成21年9月30日(2009.9.30)
【手続補正１】
【補正対象書類名】特許請求の範囲
【補正対象項目名】請求項１
【補正方法】変更
【補正の内容】
【請求項１】
側面視Ｔ字状を成すハウジングの一部を構成するグリップを把持して作業を行う携帯用動力工具において、
前記グリップのグリップエンド部に、グリップ外周をリング状に取り巻くようにグリップ外周から立ち上がる鍔部を備えたグリップガイドを設けたことを特徴とする携帯用動力工具。
【手続補正書】
【提出日】平成21年4月8日(2009.4.8)
【手続補正１】
【補正対象書類名】特許請求の範囲
【補正対象項目名】全文
【補正方法】変更
【補正の内容】
【特許請求の範囲】
【請求項１】
グリップ、およびこのグリップに取り付けられ、アイロン部を形成するバレルを有し、該バレル表面側の少なくとも一箇所にバレルの長手方向に延びるバレルバーを配置し、このバレルバーには、該バレルバーに沿って延びる細長いイオン放電板が埋設されており、該イオン放電板には、間隔を置いて配置され、バレル外方に向いたマイナスイオン放出用の複数の針状突起が設けられており、前記バレルバーの少なくとも前記針状突起が配置された部分は、バレル外部に開放した空間が設けられていることを特徴とするヘアーアイロン。
【請求項２】
前記上側バレルの外周面に離接可能な揺動可能な細長いクリップ板を更に有する請求項１のヘアーアイロン。
【請求項３】
一方が他方に対して離接できるように揺動可能な細長い下側バレルおよび上側バレルを備え、前記下側バレルおよび上側バレルのそれぞれの接合面は、両者協働して毛髪のためのストレーター機能を発揮するためのものであり、一方、前記下側バレルおよび上側バレルのそれぞれの外周面は、両者協働して毛髪のためのカール機能を発揮するためのものであり、前記下側バレルは、金属で形成され、垂直部と、この垂直部の一端に形成され、該下側バレルの接合面を構成する第１水平部と、前記垂直部の他端に形成され、該下側バレルの外周面の一部を構成する第２水平部を有し、バレルの長手方向に延びる骨格材、および合成樹脂で形成され、前記骨格材の垂直部の両側に配置され、該骨格材に沿って延びるほぼ台形の第１および第２バレルバーを備え、これらの第１および第２バレルバーには、それぞれ該バレルバーに沿って延びる細長いイオン放電板が埋設されており、該イオン放電板には、間隔を置いて配置され、バレル外方に向いたマイナスイオン放出用の複数の針状突起が設けられており、前記第１および第２バレルバーの少なくとも前記針状突起が配置された部分は、バレル外部に開放した空間が設けられていることを特徴とするヘアーアイロン。
【請求項４】
前記グリップの先端中央部に、マイナスイオンを放出するための針状電極が配置されており、この針状電極により、下側バレルの接合面と上側バレルの接合面の間にマイナスイオンを吹き出すようになっている請求項３のヘアーアイロン。
【請求項５】
前記上側バレルの外周面に離接可能な揺動可能な細長いクリップ板を更に有する請求項３または４のヘアーアイロン。
【請求項６】
前記バレルバーが合成樹脂で形成されている請求項１〜５のいずれかのヘアーアイロン。
【手続補正２】
【補正対象書類名】明細書
【補正対象項目名】０００９
【補正方法】変更
【補正の内容】
【０００９】
上記課題は、本発明の下記（１）〜（５）の構成のいずれかによるヘアーアイロンにより解決することができる。
（１）  グリップ、およびこのグリップに取り付けられ、アイロン部を形成するバレルを有し、該バレル表面側の少なくとも一箇所にバレルの長手方向に延びるバレルバーを配置し、このバレルバーには、該バレルバーに沿って延びる細長いイオン放電板が埋設されており、該イオン放電板には、間隔を置いて配置され、バレル外方に向いたマイナスイオン放出用の複数の針状突起が設けられており、前記バレルバーの少なくとも前記針状突起が配置された部分は、バレル外部に開放した空間が設けられていることを特徴とするヘアーアイロン。
（２）  前記上側バレルの外周面に離接可能な揺動可能な細長いクリップ板を更に有する上記（１）のヘアーアイロン。
（３）  一方が他方に対して離接できるように揺動可能な細長い下側バレルおよび上側バレルを備え、前記下側バレルおよび上側バレルのそれぞれの接合面は、両者協働して毛髪のためのストレーター機能を発揮するためのものであり、一方、前記下側バレルおよび上側バレルのそれぞれの外周面は、両者協働して毛髪のためのカール機能を発揮するためのものであり、前記下側バレルは、金属で形成され、垂直部と、この垂直部の一端に形成され、該下側バレルの接合面を構成する第１水平部と、前記垂直部の他端に形成され、該下側バレルの外周面の一部を構成する第２水平部を有し、バレルの長手方向に延びる骨格材、および合成樹脂で形成され、前記骨格材の垂直部の両側に配置され、該骨格材に沿って延びるほぼ台形の第１および第２バレルバーを備え、これらの第１および第２バレルバーには、それぞれ該バレルバーに沿って延びる細長いイオン放電板が埋設されており、該イオン放電板には、間隔を置いて配置され、バレル外方に向いたマイナスイオン放出用の複数の針状突起が設けられており、前記第１および第２バレルバーの少なくとも前記針状突起が配置された部分は、バレル外部に開放した空間が設けられていることを特徴とするヘアーアイロン。
（４）  前記グリップの先端中央部に、マイナスイオンを放出するための針状電極が配置されており、この針状電極により、下側バレルの接合面と上側バレルの接合面の間にマイナスイオンを吹き出すようになっている上記（３）のヘアーアイロン。
（５）  前記上側バレルの外周面に離接可能な揺動可能な細長いクリップ板を更に有する上記（３）または（４）のヘアーアイロン。
（６）  前記バレルバーが合成樹脂で形成されている請求項１〜５のいずれかのヘアーアイロン。
【手続補正書】
【提出日】平成21年10月21日(2009.10.21)
【手続補正１】
【補正対象書類名】特許請求の範囲
【補正対象項目名】全文
【補正方法】変更
【補正の内容】
【特許請求の範囲】
【請求項１】
イオンを含む空気を室内壁面に吹き付け、該室内壁面に付着又は吸着した臭気発生物質を前記イオンで変質又は分解すること
を特徴とする室内の消臭・脱臭方法。
【請求項２】
筐体と、該筐体に設けられ、空気を吸い込む吸込口と、該吸込口から吸い込まれた空気を吹き出す吹出口と、前記吸込口から前記吹出口へ空気を送るファンと、該ファンから前記吹出口まで空気を流す吹出流通路とを備える空気清浄機において、
前記吹出流通路を流れる空気中にイオンを発生するイオン発生手段を備え、
前記イオンを含む空気を室内壁面に吹き付け、該室内壁面に付着又は吸着した臭気発生物質を前記イオンで変質又は分解するようにしてあること
を特徴とする空気清浄機。
【請求項３】
筐体と、該筐体に設けられ、空気を吸い込む吸込口と、該吸込口から吸い込まれた空気を吹き出す吹出口と、前記吸込口から前記吹出口へ空気を送るファンと、該ファンから前記吹出口まで空気を流す吹出流通路とを備える空気清浄機において、
前記筐体が設置された場合の設置面の垂直方向に対して所定角度傾いた上方向へ、前記吹出口から空気を吹き出すようにしてあり、
前記吹出流通路を流れる空気中にイオンを発生するイオン発生手段を備えること
を特徴とする空気清浄機。
【請求項４】
前記筐体は前後を判別できるようにしてあり、
前記筐体が設置された場合の設置面の垂直方向に対して所定角度傾いた筐体後側の上方向へ、前記吹出口から空気を吹き出すようにしてあること
を特徴とする請求項２又は請求項３に記載の空気清浄機。
【手続補正書】
【提出日】平成19年7月2日(2007.7.2)
【手続補正１】
【補正対象書類名】明細書
【補正対象項目名】特許請求の範囲
【補正方法】変更
【補正の内容】
【特許請求の範囲】
【請求項１】  式
【化１】
2000026292.tif 000001
で表されるベンジルコハク酸誘導体のカルシウム塩またはその水和物を有効成分として含有する速放性経口医薬品組成物であって、二酸化ケイ素または部分アルファ化デンプンから選択される少なくとも１種を含有することを特徴とする、速放性経口医薬品組成物。
【請求項２】  式
【化２】
2000026292.tif 000002
で表されるベンジルコハク酸誘導体のカルシウム塩またはその水和物を有効成分として含有する速放性経口医薬品組成物であって、（a）乳糖、（b）トウモロコシデンプン、（c）結晶セルロース、および（d）二酸化ケイ素または部分アルファ化デンプンから選択される少なくとも１種を含有することを特徴とする、速放性経口医薬品組成物。
【請求項３】  二酸化ケイ素の含有量が、製剤全重量に対して０．５〜５重量％である、請求項１または２のいずれか一項記載の速放性経口医薬品組成物。
【請求項４】  部分アルファ化デンプンの含有量が、製剤全重量に対して５〜２０重量％である、請求項１または２のいずれか一項記載の速放性経口医薬品組成物。
【請求項５】  剤形が、錠剤である、請求項１乃至４のいずれか一項記載の速放性経口医薬品組成物。
【請求項６】  服用後、有効成分が、２０分以内に７５％以上溶出されることを特徴とする、請求項１乃至５のいずれか一項記載の速放性経口医薬品組成物。
【請求項７】  日本薬局方溶出試験法第２法（パドル法）に従い、試験液として日本薬局方第１液を用い、５０ｒｐｍとする溶出試験において、２０分以内に７５％以上溶出されることを特徴とする、請求項１乃至５のいずれか一項記載の速放性経口医薬品組成物。
【手続補正２】
【補正対象書類名】明細書
【補正対象項目名】０００２
【補正方法】変更
【補正の内容】
【０００２】
【化３】
2000026292.tif 000003
【手続補正書】
【提出日】平成21年9月10日(2009.9.10)
【手続補正１】
【補正対象書類名】特許請求の範囲
【補正対象項目名】請求項１
【補正方法】変更
【補正の内容】
【請求項１】
入口部位に設けられて遊技球の入賞を検出する入口検出器と、
入賞した遊技球を貯留可能な貯留手段と、装置外に排出する遊技球Ｂを検出する排出検出器とを備えた入賞装置と、
前記入口検出器によって検出した遊技球の数が所定数に達するまでは前記貯留手段によって遊技球を貯留し、
前記所定数に達した以後は前記貯留手段によって貯留していた遊技球を解放する制御を行う貯留制御手段と、
前記排出検出器から出力された信号を受けて賞品球の払い出しを制御する賞品球払出制御手段とを有する遊技機。
【手続補正書】
【提出日】平成20年12月22日(2008.12.22)
【手続補正１】
【補正対象書類名】特許請求の範囲
【補正対象項目名】全文
【補正方法】変更
【補正の内容】
【特許請求の範囲】
【請求項１】
遊技者による操作に応じて遊技開始指令信号を出力する遊技開始指令手段と、
前記遊技開始指令手段から出力された前記遊技開始指令信号を検出したことに基づいて遊技に必要な複数の識別情報を変動表示する変動表示手段と、
前記遊技開始指令手段から出力された前記遊技開始指令信号を検出したことに基づいて内部当選役を決定する内部当選役決定手段と、
遊技者による操作に応じて前記変動表示の停止指令信号を出力する停止指令手段と、
前記停止指令手段から出力された前記停止指令信号を検出したことに基づき、前記複数の識別情報の変動表示を停止させる停止制御手段と、
前記停止制御手段により停止制御された前記変動表示手段が示す前記複数の識別情報の組合せが入賞であるか否かを判定する入賞判定手段と、
前記入賞判定手段により、前記複数の識別情報の組合せが特別の組合せであると判定されたときに、遊技者に有利な特別遊技状態を発生させる特別遊技状態発生手段と、
前記入賞判定手段により、前記複数の識別情報の組合せが所定の組合せであると判定されたときに、前記遊技者による遊技媒体の投入を必要とせず遊技を可能とさせる再遊技が前記内部当選役として決定される確率が高い高確率再遊技状態を発生させる高確率再遊技状態発生手段と、を備え、
前記特別遊技状態及び前記高確率遊技状態が発生していない遊技状態において、前記特別遊技状態発生手段により発生した前記特別遊技状態が終了してから所定回数の遊技期間を特別期間として、
前記停止制御手段が、前記特別期間であるときに前記複数の識別情報の変動表示が停止されて前記所定の組合せを示す第１の確率は、前記特別期間でないときに前記複数の識別情報の変動表示が停止されて前記所定の組合せを示す第２の確率よりも高いことを特徴とする遊技機。
【請求項２】
前記高確率再遊技状態により発生した前記高確率再遊技状態は、特定回数の遊技が行われたこと、又は前記複数の識別情報の組合せが前記特別の組合せ及び前記所定の組合せとは異なる特定の組合せであると判定されたことに基づいて終了することを特徴とする請求項１に記載の遊技機。
【手続補正書】
【提出日】平成20年12月17日(2008.12.17)
【手続補正１】
【補正対象書類名】特許請求の範囲
【補正対象項目名】全文
【補正方法】変更
【補正の内容】
【特許請求の範囲】
【請求項１】
遊技者による操作に応じて遊技開始指令信号を出力する遊技開始指令手段と、
前記遊技開始指令手段から出力された前記遊技開始指令信号を検出したことに基づいて所定の役を当選役として決定する当選役決定手段と、
前記遊技開始指令手段から出力された前記遊技開始指令信号を検出したことに基づいて遊技に必要な複数の識別情報を変動表示する変動表示手段と、
遊技者による操作に応じて停止指令信号を出力する停止指令手段と、
前記当選役決定手段が決定した当選役と前記停止指令手段から出力された前記停止指令信号を検出したことに基づいて前記識別情報の変動表示を停止させる停止制御手段と、
前記停止制御手段が停止させた前記変動表示手段の停止態様が所定の入賞態様である場合に、遊技者に遊技価値を付与する遊技価値付与手段と、
前記当選役決定手段が投入した遊技価値と同等の遊技価値を自動投入することで再遊技が行われるリプレイ役を当選役として決定する確率が、第１の確率である第１確率状態と、前記確率が前記第１の確率よりも高い第２の確率である第２確率状態との間で、確率状態を移行させる確率状態移行手段と、
を備え、
前記確率状態移行手段は、前記第２確率状態において前記当選役決定手段が特定役を当選役として決定し、該特定役に係る識別情報の組合せが表示されたことを条件に、前記第２確率状態から前記第１確率状態に確率状態を移行させることを特徴とする遊技機。
【請求項２】
請求項１に記載の遊技機において、
前記停止制御手段は、前記特定役が当選役として決定された場合であっても、該特定役に係る識別情報の組合せが表示されない制御を実行可能であることを特徴とする遊技機。
【手続補正２】
【補正対象書類名】明細書
【補正対象項目名】０００８
【補正方法】変更
【補正の内容】
【０００８】
（１）  遊技者による操作に応じて遊技開始指令信号を出力する遊技開始指令手段と、前記遊技開始指令手段から出力された前記遊技開始指令信号を検出したことに基づいて所定の役を当選役として決定する当選役決定手段と、前記遊技開始指令手段から出力された前記遊技開始指令信号を検出したことに基づいて遊技に必要な複数の識別情報を変動表示する変動表示手段と、遊技者による操作に応じて停止指令信号を出力する停止指令手段と、前記当選役決定手段が決定した当選役と前記停止指令手段から出力された前記停止指令信号を検出したことに基づいて前記識別情報の変動表示を停止させる停止制御手段と、前記停止制御手段が停止させた前記変動表示手段の停止態様が所定の入賞態様である場合に、遊技者に遊技価値を付与する遊技価値付与手段と、前記当選役決定手段が投入した遊技価値と同等の遊技価値を自動投入することで再遊技が行われるリプレイ役を当選役として決定する確率が、第１の確率である第１確率状態と、前記確率が前記第１の確率よりも高い第２の確率である第２確率状態との間で、確率状態を移行させる確率状態移行手段と、を備え、前記確率状態移行手段は、前記第２確率状態において前記当選役決定手段が特定役を当選役として決定し、該特定役に係る識別情報の組合せが表示されたことを条件に、前記第２確率状態から前記第１確率状態に確率状態を移行させることを特徴とする遊技機。
【手続補正３】
【補正対象書類名】明細書
【補正対象項目名】０００９
【補正方法】変更
【補正の内容】
【０００９】
（２）  （１）に記載の遊技機において、前記停止制御手段は、前記特定役が当選役として決定された場合であっても、該特定役に係る識別情報の組合せが表示されない制御を実行可能であることを特徴とする遊技機。
【手続補正書】
【提出日】平成21年10月16日(2009.10.16)
【手続補正１】
【補正対象書類名】特許請求の範囲
【補正対象項目名】全文
【補正方法】変更
【補正の内容】
【特許請求の範囲】
【請求項１】
複数の部材を含んだ少なくとも１つの極片（３６）と、
前記部材のそれぞれの内部に含まれている少なくとも２つの方向性シートであって、その第１の方向性シートの容易磁化方向がその第２の方向性シートの容易磁化方向と異なっている少なくとも２つの方向性シートと、
を備える磁気共鳴イメージング（ＭＲＩ）システム（１０）。
【請求項２】
前記第１及び第２の方向性シート（９２、９４）と一緒に積み重ねた第３の方向性シート（９６）をさらに備えると共に、前記第２の方向性シート（９４）の容易磁化方向は前記第１の方向性シート（９２）の容易磁化方向に対して概ね６０度の角度を形成しており、かつ該第３の方向性シート（９６）の容易磁化方向は前記第２の方向性シート（９４）の容易磁化方向に対して概ね６０度の角度を形成している、請求項１に記載のイメージング・システム。
【請求項３】
前記第２の方向性シート（９４）は前記第１と第３の方向性シート（９２、９６）の間に配置されている、請求項２に記載のイメージング・システム。
【請求項４】
前記第１及び第２の方向性シート（１１２、１１４）と一緒に積み重ねた第３の方向性シート（１１６）をさらに備えると共に、前記第２の方向性シート（１１４）の容易磁化方向は前記第１の方向性シート（１１２）の容易磁化方向に対して概ね４５度の角度を形成しており、かつ該第３の方向性シート（１１６）の容易磁化方向は前記第２の方向性シート（１１４）の容易磁化方向に対して概ね４５度の角度を形成している、請求項１に記載のイメージング・システム。
【請求項５】
その各々が中心を有している少なくとも一対の反対方向を向いたマグネット（２４、２６）をさらに備えると共に、前記少なくとも２つのシートが該マグネット中心と実質的に直交して延びる線（３５）と実質的に平行な方向で積み重ねられている、請求項１に記載のイメージング・システム。
【請求項６】
その各々が中心を有している少なくとも一対の反対方向を向いたマグネット（２４、２６）をさらに備えると共に、前記少なくとも２つのシートは該マグネット中心と実質的に直交して延びる線（３５）と実質的に直交する方向で積み重ねられている、請求項１に記載のイメージング・システム。
【請求項７】
前記少なくとも２つのシートのそれぞれは、鉄とアルミニウム、鉄とアルミニウムとケイ素の組み合わせ、鉄とニッケルの組み合わせ、並びに鉄とケイ素の組み合わせのうちの少なくとも１つを含む方向性材料から製作されている、請求項１に記載のイメージング・システム。
【請求項８】
前記第２の方向性シートは、前記第１の方向性シートの保磁力と比べてより大きな保磁力を有している、請求項１に記載のイメージング・システム。
【手続補正書】
【提出日】平成21年7月7日(2009.7.7)
【手続補正１】
【補正対象書類名】特許請求の範囲
【補正対象項目名】全文
【補正方法】変更
【補正の内容】
【特許請求の範囲】
【請求項１】
一体型セラミック逆Ｆアンテナ（１００）であって、
該アンテナは、
誘電体セラミックブロック（１１０）の第１の側面、上面、第２の側面上の金属ストリップとして該誘電体セラミックブロック（１１０）を覆うことにより、逆Ｆアンテナ構造を形成するラジエータ（１０４）であって、該ラジエータ（１０４）は、該第１の側面を覆いかつ下部に位置するカウンターポイズ（１０２）に接続されているラジエータ第１端部（１０６）と、該第２の側面を覆うラジエータ第２端部（１０８）とを含む、ラジエータ（１０４）と、
該誘電体セラミックブロック（１１０）の該第２の側面を覆い、該ラジエータ第２端部（１０８）に隣接するバイアス電圧フィード（３００）と、
該誘電体セラミックブロック（１１０）の該第２の側面上の該セラミックブロックの中に埋め込まれ、該バイアス電圧フィード（３００）および該ラジエータ第２端部（１０８）の一部の下部に位置する強誘電体”ＦＥ”材料ブロック（８００）であって、該ＦＥ材料ブロック（８００）は、該ラジエータ（１０４）の該ラジエータ第２端部（１０８）と該バイアス電圧フィード（３００）とを含む第１のキャパシタ端子を有する第１のチューニング可能なＦＥギャップキャパシタを形成し、該第１のチューニング可能なＦＥギャップキャパシタは、可変誘電率を有している、ＦＥ材料ブロック（８００）と、
該第１の誘電体セラミックブロック（１１０）の該第２の側面上にあり、該バイアス電圧フィード（３００）と該カウンターポイズ（１０２）との間に接続されているバイアス電圧ブロッキングキャパシタ（３１０）と
を含み、
該バイアス電圧フィード（３００）は、電圧源から該第１のチューニング可能なＦＥギャップキャパシタに可変電圧を印加することにより、該第１のチューニング可能なＦＥギャップキャパシタの可変誘電率を変化させ、
該アンテナ（１００）は、該第１のチューニング可能なＦＥギャップキャパシタの比誘電率に応答する周波数で共振する、一体型セラミック逆Ｆアンテナ（１００）。
【請求項２】
前記アンテナ（１００）は、前記共振周波数から独立した所定のほぼ一定のゲインを有する、請求項１に記載のアンテナ（１００）。
【請求項３】
前記ラジエータ（１０４）は、金属インレイまたは金属層として形成されている、請求項１に記載のアンテナ（１００）。
【請求項４】
前記バイアス電圧フィード（３００）は、金属インレイまたは金属層として形成されている、請求項１に記載のアンテナ（１００）。
【請求項５】
前記バイアス電圧フィード（３００）に前記電圧を供給するための抵抗を含む、請求項１に記載のアンテナ（１００）。
【請求項６】
伝送線フィードは、前記ラジエータ（１０４）に接続されたトレースに半田付けされている金属インレイまたは金属層として形成される、請求項１に記載のアンテナ（１００）。
【請求項７】
前記第１のチューニング可能なＦＥギャップキャパシタの前記ＦＥ材料ブロック（８００）は、固定定数の誘電体（４００）の層を覆うＦＥ誘電体（４０２）の第１の層を含む、請求項１に記載のアンテナ（１００）。
【請求項８】
前記第１のチューニング可能なＦＥギャップキャパシタの前記ＦＥ材料ブロック（８００）は、第１の固定定数の誘電体層（４００ａ）と第２の固定定数の誘電体層（４００ｂ）との間の第１のＦＥ誘電体（４０２）を含む、請求項１に記載のアンテナ（１００）。
【請求項９】
前記第１のチューニング可能なＦＥギャップキャパシタの前記ＦＥ材料ブロック（８００）は、固定定数の誘電体（４００）の層内に埋め込まれたＦＥ誘電体（４０２）の第１の層を含む、請求項１に記載のアンテナ（１００）。
【請求項１０】
前記バイアス電圧ブロッキングキャパシタ（３１０）は、第２のチューニング可能なＦＥキャパシタであり、
前記バイアス電圧フィード（３００）は、該第２のチューニング可能なＦＥキャパシタ（３１０）に電位を印加し、
前記アンテナ（１００）は、前記第１のチューニング可能なＦＥギャップキャパシタの第１の可変誘電率と組み合わせられた該第２のチューニング可能なＦＥキャパシタ（３１０）の第２の可変誘電率に対する共振周波数で共振する、請求項１に記載のアンテナ（１００）。
【請求項１１】
前記第１のチューニング可能なＦＥキャパシタと前記ラジエータ（１０４）との組み合わせは、前記共振周波数の波長の１／４波長の有効な電気的波長を有する、請求項１に記載のアンテナ（１００）。
【手続補正書】
【提出日】平成21年4月6日(2009.4.6)
【手続補正１】
【補正対象書類名】明細書
【補正対象項目名】００１８
【補正方法】変更
【補正の内容】
【００１８】
そして、下型５０と上型６２とを閉じた状態で１時間程度、キャビティ６４内を８０℃程度で加熱する。
この熱処理により、以下の３つの化学反応が同時に進行する。
（１）熱可塑性ポリウレタンエラストマーはイソシアネート基と隣接分子の水酸基、ウレタン基の活性水素が反応し化学架橋を形成する。そして、この化学架橋により、熱可塑性ポリウレタンエラストマーの耐熱性が高まり、形状変形が減少する。
（２）２液硬化型ポリウレタンゲルが硬化し、硬化後に完全な化学架橋を形成する。この化学架橋により、２液硬化型ポリウレタンゲルの耐熱性、圧縮永久ひずみ等の物性が大幅に向上する。
（３）取り付け面１２１０において、熱可塑性ポリウレタンエラストマーが有するイソシアネート基と、２液硬化型ポリウレタンゲルが有する水酸基とが結合し、この結合により熱可塑性ポリウレタンエラストマーと２液硬化型ポリウレタンゲルとが確実に融着し、剥がれることがない吸盤本体１２とゲル層１４との接合がなされる。
【手続補正書】
【提出日】平成21年9月11日(2009.9.11)
【手続補正１】
【補正対象書類名】明細書
【補正対象項目名】００４９
【補正方法】変更
【補正の内容】
【００４９】
続いて、図２（ｇ）に示すように、上部電極層６６の上面に所定形状にパターニングされたレジスト６８を形成する。具体的には、レジスト６３のパターニング方法と同様に、レジスト塗布、プリベーク、露光、現像、及びポストベークの各処理を順次行うことによって、上部電極層６６上にパターニングされたレジスト６８を得ることができる。
【手続補正２】
【補正対象書類名】明細書
【補正対象項目名】００６６
【補正方法】変更
【補正の内容】
【００６６】
更に、本発明者は、振動板３２の厚みを変化させて上記同様の評価実験を行った。このときの結果を図４〜図７に示す。各図における振動板３２の厚みは、図４では１μｍ、図５では２μｍ、図６では１５μｍ、図７では２０μｍである。
【手続補正３】
【補正対象書類名】明細書
【補正対象項目名】００６８
【補正方法】変更
【補正の内容】
【００６８】
一方、図５〜図７に示すように、振動板３２の厚みが２μｍや１５μｍ、２０μｍである場合においては、式（１）〜式（３）を満足すれば、上述した振動板３２の厚みが６μｍである場合（図３参照）と同様の効果を得ることができる。なお、振動板３２の厚みが２０μｍより大きい場合は、スパッタ法による圧電体成膜を想定したときに、圧電体の厚みを厚くすることが難しく、インク吐出できるような変位量を得にくい。
【手続補正４】
【補正対象書類名】図面
【補正対象項目名】図２
【補正方法】変更
【補正の内容】
【図２】
2008228458.tif 000001
【手続補正書】
【提出日】平成21年11月10日(2009.11.10)
【手続補正１】
【補正対象書類名】特許請求の範囲
【補正対象項目名】全文
【補正方法】変更
【補正の内容】
【特許請求の範囲】
【請求項１】
複数の中継処理装置によって電文を中継するネットワークシステムであって、
第一の中継処理装置は、前記電文を中継するときに当該第一の中継処理装置における当該電文に関する処理のログ情報を当該電文に付加し、
第二の中継処理装置は、前記電文に付加されている前記ログ情報を記憶装置に記録することを特徴とするネットワークシステム。
【請求項２】
前記ネットワークシステムは、前記第二の中継処理装置によって複数のエリアに分割され、
前記第二の中継処理装置は、前記エリアをまたがって中継される前記電文に付加されている前記ログ情報を前記記憶装置に記録することを特徴とする請求項１記載のネットワークシステム。
【請求項３】
前記第一の中継処理装置は、当該第一の中継処理装置を識別する識別情報を前記ログ情報に含めて前記電文に付加することを特徴とする請求項１又は２記載のネットワークシステム。
【請求項４】
前記第一の中継処理装置は、当該第一の中継処理装置を識別する識別情報を前記ログ情報に含めて前記電文に付加し、
前記電文に付加されている前記ログ情報に基づいて当該ネットワークシステムの障害を検出し、前記障害を調査するための調査情報取得処理の実行命令と前記調査情報取得処理を実行させる前記中継処理装置の識別情報とが付加された調査電文を作成し、前記調査電文を前記中継処理装置に中継させる調査電文作成装置を有し、
前記識別情報に係る前記中継処理装置は、前記調査情報取得処理の実行命令に従って前記調査情報を取得することを特徴とする請求項１又は２記載のネットワークシステム。
【請求項５】
ネットワークシステムにおいて電文を中継する中継処理装置であって、
前記電文を中継するときに当該中継処理装置における当該電文に関する処理のログ情報を当該電文に付加することを特徴とする中継処理装置。
【請求項６】
複数の中継処理装置によって電文を中継するネットワークシステムにおけるログ情報管理方法であって、
第一中継処理装置が、前記電文を中継するときに当該第一の中継処理装置における当該電文に関する処理のログ情報を当該電文に付加する手順と、
第二の中継処理装置が、前記電文に付加されている前記ログ情報を記憶装置に記録する手順とを有することを特徴とするログ情報管理方法。
【手続補正書】
【提出日】平成21年3月31日(2009.3.31)
【手続補正１】
【補正対象書類名】明細書
【補正対象項目名】特許請求の範囲
【補正方法】変更
【補正の内容】
【特許請求の範囲】
【請求項１】
主制御装置により特別遊技状態とするか否かを決定される毎に、可変表示装置で可変表示を行った後、前記特別遊技状態とするか否かを示す停止表示をするように制御する図柄制御装置を含む遊技機であって、
遊技盤面上に設けられた始動口と、前記可変表示装置に設けられた入口より遊技球を取込、前記始動口の付近まで誘導するための球通路と、
該球通路により誘導される遊技球の通過を検出する球検出スイッチと、を備え、
遊技球が前記球検出スイッチにより検出されるタイミングに起因して乱数を抽出する構成とし、該抽出された乱数値に応じて可変表示の態様を変化することを特徴とする遊技機。
【請求項２】
前記球検出スイッチからの出力を、前記図柄制御装置に入力する構成としたことを特徴とする請求項１記載の遊技機。
【請求項３】
前記球通路は透明部材により構成され、前記球通路内にある遊技球を遊技者に視認可能とすることを特徴とする請求項１又は２記載の遊技機。
【手続補正２】
【補正対象書類名】明細書
【補正対象項目名】０００４
【補正方法】変更
【補正の内容】
【０００４】
【課題を解決するための手段及び効果】
請求項１に記載の遊技機は、主制御装置により特別遊技状態とするか否かを決定される毎に、可変表示装置で可変表示を行った後、前記特別遊技状態とするか否かを示す停止表示をするように制御する図柄制御装置を含む遊技機であって、遊技盤面上に設けられた始動口と、前記可変表示装置に設けられた入口より遊技球を取込、前記始動口の付近まで誘導するための球通路と、該球通路により誘導される遊技球の通過を検出する球検出スイッチと、を備え、遊技球が前記球検出スイッチにより検出されるタイミングに起因して乱数を抽出する構成とし、該抽出された乱数値に応じて可変表示の態様を変化することを特徴とする。
【手続補正３】
【補正対象書類名】明細書
【補正対象項目名】０００５
【補正方法】変更
【補正の内容】
【０００５】
可変表示の態様を変化とは、特殊なアクション（可変表示部の表示色の変化、通常とは異なるトリック動作、装飾ランプ等の発光態様及び遊技中の効果音等を出力等）を行うことを指している。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】変更
【補正の内容】
【０００７】
これにより請求項１に記載の遊技機は、遊技施設内の左、右又は両方に設置されている同一機種との違いを明確にし、頻繁に遊技を行うような遊技者にも遊技を行う毎に新鮮な感覚を与えることができるという効果を有する。
【手続補正６】
【補正対象書類名】明細書
【補正対象項目名】０００８
【補正方法】変更
【補正の内容】
【０００８】
請求項２に記載の遊技機は、請求項１記載の前記球検出スイッチからの出力を、前記図柄制御装置に入力する構成としたことを特徴とする。
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】削除
【補正の内容】
【手続補正９】
【補正対象書類名】明細書
【補正対象項目名】００１１
【補正方法】削除
【補正の内容】
【手続補正１０】
【補正対象書類名】明細書
【補正対象項目名】００１２
【補正方法】削除
【補正の内容】
【手続補正１１】
【補正対象書類名】明細書
【補正対象項目名】００１３
【補正方法】削除
【補正の内容】
【手続補正１２】
【補正対象書類名】明細書
【補正対象項目名】００１４
【補正方法】変更
【補正の内容】
【００１４】
請求項３に記載の遊技機は、請求項１記載又は２記載の遊技機における前記球通路を透明部材により構成し、前記球通路内にある遊技球を遊戯者に視認可能とすることを特徴とする。
【手続補正１３】
【補正対象書類名】明細書
【補正対象項目名】００１５
【補正方法】変更
【補正の内容】
【００１５】
これにより請求項３に記載の遊技機は、透明部材を用いて構成された球通路内部での遊技球の動向も見ることができ、他の遊技機との差別化を図ることができるという効果も有する。
【手続補正書】
【提出日】平成21年6月27日(2009.6.27)
【手続補正１】
【補正対象書類名】明細書
【補正対象項目名】００１２
【補正方法】変更
【補正の内容】
【００１２】
【図１】ローラー式壁紙貼り具斜視図
【図２】（ａ）回転させて壁紙を貼る様子の斜視図（ｂ）壁紙を貼付けながら既に貼った壁紙の右端と新しく貼った壁紙の左端を芯に取り取り付けたカッターで切っている様子を示す斜視図
【図３】貼り始めとは貼り終わりの角とローラーの様子を示す断面図
【図４】ローラー芯及びカッター治具の側面図
【手続補正２】
【補正対象書類名】図面
【補正対象項目名】全図
【補正方法】変更
【補正の内容】
【図１】
2009228205.tif 000001
【図２】
2009228205.tif 000002
【図３】
2009228205.tif 000003
【図４】
2009228205.tif 000004
【手続補正書】
【提出日】平成21年7月8日(2009.7.8)
【手続補正１】
【補正対象書類名】特許請求の範囲
【補正対象項目名】全文
【補正方法】変更
【補正の内容】
【特許請求の範囲】
【請求項１】
イコサペント酸エチルエステルを有効成分として含有する、血清ＴＧ／ＨＤＬ−Ｃ比が３．７５以上の脳卒中既往患者の脳卒中再発予防用組成物。
【請求項２】
３年以上継続して投与するための請求項１に記載の組成物。
【請求項３】
４年以上継続して投与するための請求項１または２に記載の組成物。
【請求項４】
前記脳卒中既往患者が、脳卒中発症後６ヶ月を経過した後の患者である請求項１ないし３のいずれかに記載の組成物。
【請求項５】
前記脳卒中既往患者が、高脂血症患者である請求項１ないし４のいずれかに記載の組成物。
【請求項６】
イコサペント酸エチルエステルとしての１日投与量が０．３〜６ｇである経口投与のための請求項１ないし５のいずれかに記載の組成物。
【請求項７】
イコサペント酸エチルエステルを有効成分として含有する、３年以上継続して投与するための、脳卒中既往患者の脳卒中再発予防用組成物。
【手続補正書】
【提出日】平成21年3月17日(2009.3.17)
【手続補正１】
【補正対象書類名】特許請求の範囲
【補正対象項目名】請求項１
【補正方法】変更
【補正の内容】
【請求項１】
水溶液中又は水と有機溶媒との混合溶媒中で下式(化１)
【化１】
2007238540.tif 000001
（式中、Ｒ１は、炭素数が３以上のアルキル基又はアリール基を表し、Ｒ２は、水素原子又は炭素数１〜４のアルキル基若しくはアルコキシ基を表し、Ｘは、−ＯＨ、又は−ＳＨを表す。）で表される配位子又はその対称体とＭ（ＯＳＯ２Ｒ３）３又はＭ（ＯＳＯ３Ｒ３）３（式中、ＭはＳｃ、Ｙ又はランタノイド元素を表し、Ｒ３は炭素数が６以上の脂肪族炭化水素基、芳香族炭化水素基又はパーフルオロアルキル基を表す。）で表されるルイス酸とを混合させて得られる触媒の存在下で、下式（式２）
【化２】
2007238540.tif 000002
（式中、Ｒ４は、置換基を有していてもよい脂肪族炭化水素基、芳香族炭化水素基又は複素環基を表す。）で表されるエポキシドと、下式
【化３】
2007238540.tif 000003
（式中、Ｙ１は＝ＣＨ−又は＝Ｎ−を表し、Ｙ２は＝ＣＲ７−又は＝Ｎ−（式中、Ｒ７は水素原子又は炭化水素基を表す。）を表し、Ｚは−ＮＨ−、−ＮＲ８−（式中、Ｒ８は水素原子以外の炭化水素基を表す。）、−Ｏ−又は−Ｓ−を表す。但し、Ｙ１が＝Ｎ−の場合には、Ｚは−ＮＨ−を表す。Ｒ５及びＲ６は共同して置換基を有していてもよい芳香環又は複素芳香環を形成する。）で表される複素環化合物とを反応させることから成る下式
【化５】
2007238540.tif 000004
（Ｙ１が＝ＣＨ−の場合は式（１）又はその対称体で表され、Ｙ１が＝Ｎ−の場合は式（２）又はその対称体で表され、式中、Ｒ４〜Ｒ６は上記と同様に定義される。）で表される光学活性アルコール化合物の製法。
【手続補正２】
【補正対象書類名】明細書
【補正対象項目名】０００６
【補正方法】変更
【補正の内容】
【０００６】
即ち、本発明は、水溶液中又は水と有機溶媒との混合溶媒中で下式(化１)
【化１】
2007238540.tif 000005
（式中、Ｒ１は、炭素数が３以上のアルキル基又はアリール基を表し、Ｒ２は、水素原子又は炭素数１〜４のアルキル基若しくはアルコキシ基を表し、Ｘは、−ＯＨ、又は−ＳＨを表す。）で表される配位子又はその対称体とＭ（ＯＳＯ２Ｒ３）３又はＭ（ＯＳＯ３Ｒ３）３（式中、ＭはＳｃ、Ｙ又はランタノイド元素を表し、Ｒ３は炭素数が６以上の脂肪族炭化水素基、芳香族炭化水素基又はパーフルオロアルキル基を表す。）で表されるルイス酸とを混合させて得られる触媒の存在下で、下式（式２）
【化２】
2007238540.tif 000006
（式中、Ｒ４は、置換基を有していてもよい脂肪族炭化水素基、芳香族炭化水素基又は複素環基を表す。）で表されるエポキシドと、下式
【化３】
2007238540.tif 000007
（式中、Ｙ１は＝ＣＨ−又は＝Ｎ−を表し、Ｙ２は＝ＣＲ７−又は＝Ｎ−（式中、Ｒ７は水素原子又は炭化水素基を表す。）を表し、Ｚは−ＮＨ−、−ＮＲ８−（式中、Ｒ８は水素原子以外の炭化水素基を表す。）、−Ｏ−又は−Ｓ−を表す。但し、Ｙ１が＝Ｎ−の場合には、Ｚは−ＮＨ−を表す。Ｒ５及びＲ６は共同して置換基を有していてもよい芳香環又は複素芳香環を形成する。）で表される複素環化合物とを反応させることから成る下式
【化５】
2007238540.tif 000008
（Ｙ１が＝ＣＨ−の場合は式（１）又はその対称体で表され、Ｙ１が＝Ｎ−の場合は式（２）又はその対称体で表され、式中、Ｒ４〜Ｒ６は上記と同様に定義される。）で表される光学活性アルコール化合物の製法である。
【手続補正３】
【補正対象書類名】明細書
【補正対象項目名】００１２
【補正方法】変更
【補正の内容】
【００１２】
本発明で用いるエポキシドの構造としては、下式(化２)
【化２】
2007238540.tif 000009
で表されるメソエポキシドが用いられる。
Ｒ４は、それぞれ同じであって、置換基を有していてもよい脂肪族炭化水素基、芳香族炭化水素基又は複素環基、好ましくはアルキル基、アリール基又はアルキルアリール基、より好ましくはアリール基を表す。アリール基としてはフェニル基又ナフチル基が挙げられ、好ましくはフェニル基である。Ｒ４は、ハロゲン原子、水酸基、ニトロ基、シアノ基、エステル基、エーテル基、チオエーテル基、アミド基等の置換基を有していてもよい。
【手続補正書】
【提出日】平成21年3月5日(2009.3.5)
【手続補正１】
【補正対象書類名】特許請求の範囲
【補正対象項目名】全文
【補正方法】変更
【補正の内容】
【特許請求の範囲】
【請求項１】
多重管の間に形成された反応器内の壁面に、陽極酸化処理によるアルミニウム化合物に担持した有機ハイドライドの脱水素反応によって水素を発生する脱水素触媒を設けた領域と、陽極酸化処理によるアルミニウム化合物に担持した燃焼用触媒を設けた脱水素反応の反応熱を供給する領域とを、管壁を隔てて配置したことを特徴とする水素発生装置。
【請求項２】
前記壁面は、フィン、ひだ、格子またはハニカム形状の部材の壁面であることを特徴とする請求項１に記載の水素発生装置。
【請求項３】
前記脱水素反応に必要な熱を発生するための燃料を、前記脱水素反応による生成物としていることを特徴とする請求項１または２のいずれか１項に記載の水素発生装置。
【請求項４】
多重管の間に形成された反応器内の壁面に、陽極酸化処理によるアルミニウム化合物に担持した不飽和炭化水素と水素との水素添加反応によって有機ハイドライドを製造する水素添加触媒を設けた領域と、前記水素添加反応による熱を除去する領域とを、管壁を隔てて配置したことを特徴とする水素添加発生装置。
【請求項５】
前記壁面は、フィン、ひだ、格子またはハニカム形状の部材の壁面であることを特徴とする請求項４に記載の水素添加反応装置。
【手続補正２】
【補正対象書類名】明細書
【補正対象項目名】０００８
【補正方法】変更
【補正の内容】
【０００８】
上記目的を達成するために、本発明は、多重管の間に形成された反応器内の壁面に、陽極酸化処理によるアルミニウム化合物に担持した有機ハイドライドの脱水素反応によって水素を発生する脱水素触媒を設けた領域と、陽極酸化処理によるアルミニウム化合物に担持した燃焼用触媒を設けた脱水素反応の反応熱を供給する領域とを、管壁を隔てて配置した水素発生装置としている。有機ハイドライドの脱水素反応は、極めて大きな吸熱反応であり、通常の充填式反応器では、反応に必要なエネルギーを供給することが困難とされている。本発明の水素発生装置を採用すると、燃料の燃焼により発生したエネルギーは他方の領域の脱水素触媒に直接伝達され、エネルギーの利用効率が極めて高く、その上、水素発生速度をより大きくすることができる。
【手続補正３】
【補正対象書類名】明細書
【補正対象項目名】０００９
【補正方法】削除
【補正の内容】
【手続補正４】
【補正対象書類名】明細書
【補正対象項目名】００１１
【補正方法】変更
【補正の内容】
【００１１】
また、燃焼触媒および脱水素触媒の内の少なくともいずれか１つの触媒を、陽極酸化処理によるアルミニウム化合物に担持した水素発生装置としている。このため、熱伝導性の良い触媒担持体ができる。さらに、熱伝導性の良いアルミニウムを、各領域の壁面若しくはフィンに使用することにより、発熱領域の熱を速やかに吸熱領域に伝えることができる。
【手続補正５】
【補正対象書類名】明細書
【補正対象項目名】００１３
【補正方法】変更
【補正の内容】
【００１３】
また、多重管の間に形成された反応器内の壁面に、陽極酸化処理によるアルミニウム化合物に担持した不飽和炭化水素と水素との水素添加反応によって有機ハイドライドを製造する水素添加触媒を設けた領域と、前記水素添加反応による熱を除去する領域とを、管壁を隔てて配置した水素添加反応装置としている。水素貯蔵のための不飽和炭化水素の水素添加反応は、大きな発熱反応であると共に平衡反応であり、温度が上昇すると反応率は低下する。本発明の水素添加反応装置を採用すると、反応温度の上昇が制御され、水素添加反応の効率が向上し、水素添加反応速度をより大きくすることができる。
【手続補正６】
【補正対象書類名】明細書
【補正対象項目名】００１４
【補正方法】削除
【補正の内容】
【手続補正７】
【補正対象書類名】明細書
【補正対象項目名】００１６
【補正方法】変更
【補正の内容】
【００１６】
また、本発明における前記水素化触媒を、陽極酸化処理によるアルミニウム化合物に担持した水素添加反応装置としている。このため、熱伝導性の高い触媒担持体ができる。さらに、熱伝導性の良いアルミニウムを、各領域の壁面若しくはフィンに使用することにより、一方の領域の熱を速やかに他方の領域に伝えることができる。